(57)【特許請求の範囲】
【請求項１】
コンクリート製品（１）、（１）を継ぎ合わせ、この継ぎ合わせたコンクリート製品（１）、（１）の端面を密に締め付けるコンクリート製品の緊結構造であって、継ぎ合わせたコンクリート製品（１）、（１）の端部側面にそれぞれ設けた埋込ナット（４）、（４）と、この埋込ナット（４）、（４）にそれぞれねじ込んだ固定ボルト（８）、（８）と、互いに逆ネジの連結ボルト（７ａ）、（７ｂ）を両端にねじ込み、この連結ボルト（７ａ）、（７ｂ）を前記固定ボルト（８）、（８）に連結したターンバックル（６）とを有し、このターンバックル（６）を締め付けてコンクリート製品（１）、（１）の端面を密に接合し、この状態で前記固定ボルト（８）、（８）を埋込ナット（４）、（４）に締め付けることにより、ターンバックル（６）をコンクリート製品（１）、（１）の側面に押しつけて同ターンバックル（６）を回り止めしたことを特徴とするコンクリート製品の緊結構造。
【請求項２】
ターンバックル（６）を締め付けた状態で固定ボルト（８）、（８）を埋込ナット（４）、（４）に締め付けることにより、ターンバックル（６）をコンクリート製品（１）、（１）の側面に押しつけたことを特徴とする請求項１に記載のコンクリート製品の緊結構造。
【請求項３】
コンクリート製品（１）、（１）を継ぎ合わせ、この継ぎ合わせたコンクリート製品（１）、（１）の端面を密に締め付けるコンクリート製品の緊結方法であって、継ぎ合わせたコンクリート製品（１）、（１）の端部側面にそれぞれ設けた埋込ナット（４）、（４）に固定ボルト（８）、（８）をそれぞれねじ込み、ターンバックル（６）の両端にねじ込んだ互いに逆ネジの連結ボルト（７ａ）、（７ｂ）前記固定ボルト（８）、（８）に連結した、このターンバックル（６）を締め付けてコンクリート製品（１）、（１）の端面を密に接合した後、前記固定ボルト（８）、（８）を埋込ナット（４）、（４）に締め付けることにより、ターンバックル（６）をコンクリート製品（１）、（１）の側面に押しつけて同ターンバックル（６）を回り止めすることを特徴とするコンクリート製品の緊結方法。
【請求項４】
固定ボルト（８）、（８）を埋込ナット（４）、（４）に完全に締め付ける前の突出した状態でターンバックル（６）を回動して締め付け、その後固定ボルト（８）、（８）を埋込ナット（４）、（４）に締め付けることにより、ターンバックル（６）をコンクリート製品（１）、（１）の側面に押しつけることを特徴とする請求項１に記載のコンクリート製品の緊結構造。
【発明の詳細な説明】
【０００１】
【発明の属する技術分野】
本発明は、ボックスカルバート等のコンクリート製品を連結し、それらコンクリート製品の端面を緊密に接合するため、コンクリート製品を互いに緊結した構造と方法に関し、特に施工が容易で、なお且つ簡単な処理により弛み止めを行うことができるコンクリート製品の緊結構造と方法に関する。
【０００２】
【従来の技術】
水路を構築するのに使用されるボックスカルバートやＵ字溝ブロック等のコンクリート製品を地下に敷設して水路を構築する場合、水漏れによる地下への水の浸透を防止し、さらに地盤の不等沈下等に伴う水路のずれ等を防止するため、コンクリート製品を互いに緊結することが行われている。
【０００３】
このようなコンクリート製品の緊結手段として従来一般的なものとして、コンクリート製品の端部をＰＣ鋼棒により緊締結合する工法が知られている。
例えばボックスカルバートの場合、互いに接合するボックスカルバートの端部にの四隅部にＰＣ鋼棒挿通孔を設けておき、ボックスカルバートの端部を接続するとき、これらの緊張材挿入孔を合致させる。次に、各緊張材挿入孔にＰＣ鋼棒を挿通させた後、このＰＣ鋼棒の端部にナットをねじ込む。そして、前記ＰＣ鋼棒にナットを強く締め込んでコンクリート製品を緊結する。
【０００４】
さらに他の手段としては、ボックスカルバートやＵ型溝ブロック等のコンクリート製品の側面に埋込ナット、いわゆるインサートを取り付けておき、これらの埋込ナットにねじ込んだボルトを使用して金属製の接続部材を取り付け、コンクリート製品を互いに連結する手段もある。
【０００５】
この場合、ボルトで接続部材を締め付けただけでは、コンクリート製品の緊結は出来ない。そこで、接続部材のボルト孔の少なくとも一方を長孔とし、油圧ジャッキ等の推進駆動源を用いて、既に敷設したコンクリート製品の端部に、それと継ぎ合わせるコンクリート製品の端部を押し付け、この状態で接続部材をボルトで締め付けることにより、コンクリート製品の緊結を図る手段がとられることもある。
【０００６】
【発明が解決しようとしている課題】
しかしながら、前者のようなコンリートの緊結手段では、コンクリート製品の端部の構造が複雑になるため、型枠の組み立て、コンクリート製品の成型等の工場での作業工数が増大する。さらに、ＰＣ鋼棒にナットを締め付けた後に、その弛み止めとして、ナットを収納している窪み状の箇所にモルタルを内部に充填しなければならない。このために、後処理に要する作業工数も多くなり、工事を迅速化することが困難であった。さらに、ナットをモルタルで埋め込んでしまうので、ナットの締め付けが甘い場合等に、増し締めすることもできない。
【０００７】
また、後者のようなコンクリート製品の連結手段は、コンクリート製品の緊結を図るには、ジャッキ等の推進駆動源を用いたコンクリート製品の押し付けという、前記のような面倒な工程が必要であり、施工現場での工数の増大は避けられない。また仮に、金属製の接続部材とナットとは互いに滑りやすく、接続部材のボルト孔の一方の長孔をボルトで相当きつく締めても、コンクリート製品の長手方向に外力が加えられると、ボルトと接続部材とが互いにずれ動いてしまうことがある。これを防止するためには、締め付けた後にボルトを接続部材に溶接する必要があり、やはり後処理に要する作業工数が多くなるという課題があった。
【０００８】
本発明は、このような従来のコンクリート製品の緊結手段における課題に鑑み、工場においては、複雑な型枠を使用することなく、従来の型枠のままでコンクリート製品を容易に製造することができ、施工現場においては、油圧ジャッキ等を使用することなく、容易にコンクリート製品の緊結が図れ、最終的な弛み止めも容易に行え、一旦弛み止めを行った後も、再度弛み止めを解除して締め付けなおすこともできるコンクリート製品の緊結用具と方法を提供することを目的とする。
【０００９】
【課題を解決するための手段】
本発明では、前記の目的を達成するため、継ぎ合わせたコンクリート製品１、１の端部をターンバックル６で連結し、このターンバックル６の両端にねじ込んだ互いに逆ネジの連結ネジ７ａ、７ｂを連結した固定ネジ８、８を完全に締め付けずに、突出した状態でターンバックル６による締め付けを可能とした。また、連結ネジ７ａ、７ｂを連結した固定ネジ８、８を締め付けることにより、ターンバックル６の回り止めがされるようにした。これにより、ターンバックル６による締め付けとその回り止めが、固定ネジ８、８の操作だけで簡単に行えるようにしたものである。
【００１０】
すなわち、本発明によるコンクリート製品の緊結構造は、継ぎ合わせたコンクリート製品１、１の端部側面にそれぞれ設けた埋込ナット４、４と、この埋込ナット４、４にそれぞれねじ込んだ固定ボルト８、８と、互いに逆ネジの連結ボルト７ａ、７ｂを両端にねじ込み、この連結ボルト７ａ、７ｂを前記固定ボルト８、８に連結したターンバックル６とを有し、このターンバックル６を締め付けてコンクリート製品１、１の端面を密に接合し、この状態で前記固定ボルト８、８を埋込ナット４、４に締め付けることにより、ターンバックル６をコンクリート製品１、１の側面に押しつけて同ターンバックル６を回り止めしたものである。
【００１１】
このようなコンクリート製品の緊結状態を得る工法は、継ぎ合わせたコンクリート製品１、１の端部側面にそれぞれ設けた埋込ナット４、４に固定ボルト８、８をそれぞれねじ込み、ターンバックル６の両端にねじ込んだ互いに逆ネジの連結ボルト７ａ、７ｂ前記固定ボルト８、８に連結した、このターンバックル６を締め付けてコンクリート製品１、１の端面を密に接合した後、前記固定ボルト８、８を埋込ナット４、４に締め付けることにより、ターンバックル６をコンクリート製品１、１の側面に押しつけて同ターンバックル６を回り止めするものである。
【００１２】
この場合、固定ボルト８、８を埋込ナット４、４に完全に締め付けず、埋込ナット４、４の頭部をコンクリート製品１、１の側面から突出させた状態でターンバックル６の回転が可能である。従って、ターンバクッル６を回動し、締め付けることができる。
【００１３】
他方、固定ボルト８、８を埋込ナット４、４に締め付けることにより、ターンバックル６がコンクリート製品１、１の側面に押しつけられ、回り止めされる。さらに、この回り止めを行った後も、固定ボルト８、８を緩めることにより、ターンバックル６を再度締め付けることもできる。
【００１４】
【発明の実施の形態】
次に、図面を参照しながら、本発明の実施の形態について、具体的且つ詳細に説明する。
図１と図２は、本発明の一実施形態によるコンクリート製品の緊結構造と方法を実施するためのコンクリート製品１の例を示すものである。図１と図２に示したコンクリート製品１は、ボックスカルバートであるが、本発明が適用されるコンクリート製品は、ボックスカルバートに限られず、例えば、Ｕ字溝ブロック、土留めブロック等、長手方向に継ぎ合わせて施工されるコンクリート製品一般に適用することが可能である。
【００１５】
図１と図２に例示したコンクリート製品１は、ボックスカルバートであるため、断面が四角形をしており、図示のものは、逆台形を呈している。このコンクリート製品の内部は長手方向に縦断面が均一な空洞となっており、そこが水路２となる。
このコンクリート製品１の端面の水路の周囲には、凹溝状のパッキン挿入溝３が設けられている。このパッキン挿入溝３の内側であって、上下の２カ所にガイドピンを差し込むガイド穴５、５が設けられている。
【００１６】
コンクリート製品１の両側面であって、端部近くに、埋込ナット４、いわゆるインサートが埋設されている。この埋込ナット４は、後述するように、継ぎ合わせるコンクリート製品１を緊結するためのものである。また、コンクリート製品１の両側面であって、その中間部にも埋込ナット１１、いわゆるインサートが埋設されている。この埋込ナット１１は、コンクリート製品１を敷設工事する際に、クレーンでコンクリート製品１を吊り下げるため、アイナット等のワイヤーの掛け具をねじ込むためのものである。
これらの埋込ナット４、１１は、コンクリート製品１、１を成型する際に、予め型枠内の所定の位置に埋込ナット４、１１を配置しておくことにより、埋込ナット４、１１をコンクリート製品１、１の前述の位置に埋設することが可能である。
【００１７】
図３と図４は、一対のコンクリート製品１、１を継ぎ合わせた状態の同コンクリート製品１、１の端部近くの片側の側壁の断面図である。コンクリート製品１、１の片側の側面を示しているが、他方の側面も対称に同様の構造が取られている。図３が緊結前の状態、図４が緊結を完了した状態である。上側が水路の内側を、下側が水路の外側である。図５は、図４の状態の水路２の外側から見た側面図である。
【００１８】
図３と図４に示すように、埋込ナット４は、その端面がコンクリート製品１、１の側面と面一になるようにコンクリート製品１、１の側壁に埋め込まれている。
このようなコンクリート製品１、１を継ぎ合わせる工事は、次のようにして行う。
【００１９】
まず、既に地中に敷設したコンクリート製品１の端面に、これと継ぎ合わせる他のコンクリート製品１の端面を対向させて、それらコンクリート製品１、１の端面のパッキン挿入溝３、３の間に止水性を有するリング状のパッキン１０を挿入する。そして、コンクリート製品１の端面のガイド穴５、５にガイドピンを差し込み、これによってコンクリート製品１、１を互いに位置合わせしながら、それらの端面を突き合わせる。この状態で、固定ナット８、８にリング状のワッシャ９、９を装着し、この固定ナット８、８を前記埋込ナット４、４にそれぞれねじ込む。
【００２０】
さらに、ターンバックル６を用意し、この両端の雌の逆ネジに互いに逆ネジである連結ボルト７ａ、７ｂをねじ込む。この連結ボルト７ａ、７ｂの先端はフック状になっており、図３に示すように、この連結ボルト７ａ、７ｂの先端を前記埋込ナット４、４にねじ込んだ固定ナット８、８の頭部とワッシャ９、９との間に掛けて連結する。
【００２１】
この状態で、図３に示すように、固定ナット８、８を前記埋込ナット４、４に完全にねじ込まず、固定ナット８、８とワッシャ９、９がコンクリート製品１、１の側面から突出した状態では、ターンバックル６がコンクリート製品１、１の側面から離れており、そのターンバックル６を回転することができる。そこでこの状態において、ターンバックル６を連結ボルト７ａ、７ｂが締め付けられる方向に回転し、コンクリート製品１、１の端面が密に接するように締め付ける。この締め付けは、コンクリート製品１、１の両側面において同時または交互に行う。これにより、パッキン挿入溝３、３の間に挿入されたパッキン１０が圧縮されると共に、コンクリート製品１、１の端面が密に接合する。
【００２２】
ターンバックル６を締め上げることにより、コンクリート製品１、１の端部が十分緊結されたところで、ターンバックル６を図４と図５に示すように、コンクリート製品１、１の側壁に沿うよう縦にする。この状態で、固定ナット８、８を締め付ける。これにより、ターンバックル６の側面がコンクリート製品１、１の側面に強く押し当てられる。ターンバックル６は、その幅寸法（図４の上下方向の寸法）が高さ寸法（図５の上下方向の寸法）より小さいので、ターンバックル６の側面がコンクリート製品１、１の側面に強く押し当てられると、ターンバックル６は回転できない状態となり、その回り止めがなされる。
さらに、この回り止めを行った後も、必要があるときは、固定ボルト８、８を緩めることにより、ターンバックル６を再び締め付けることもできる。
【００２３】
【発明の効果】
以上説明した通り、本発明によるコンクリート製品の緊結構造とその方法では、コンクリート製品１、１の成型時に、その端部側面に埋込ナット４、４を埋め込んでおくだけで良いので、工場において複雑な型枠を使用することなく、従来の型枠のままでコンクリート製品を容易に製造することができる。
【００２４】
さらにコンクリート製品１、１を敷設する工事現場では、固定ボルト８、８を緩めた状態でターンバックル６の回転が可能である。これにより、ターンバックル６を締め付け、コンクリート製品１、１の端面を密に接合することができる。他方、固定ボルト８、８を埋込ナット４、４に締め付けることにより、ターンバックル６がコンクリート製品１、１の側面に押しつけられ、回り止めされきる。これにより、油圧ジャッキ等を使用することなく、容易にコンクリート製品の緊結が図れ、最終的な弛み止めも容易に行え、しかも、一旦弛み止めを行った後も、再度弛み止めを解除して締め付けなおすこともできる。
【図面の簡単な説明】
【図１】本発明の一実施形態によるコンクリート製品の緊結構造とその方法を実施するのに使用されるコンクリート製品の例を示す中間省略した側面図である。
【図２】同実施形態によるコンクリート製品の緊結構造とその方法を実施するのに使用されるコンクリート製品の例を示す正面図である。
【図３】同実施形態によるコンクリート製品の緊結構造とその方法におけるコンクリート製品を締め付ける際に、ターンバックルを回動可能とした状態を示す要部縦断平面図である。
【図４】同実施形態によるコンクリート製品の緊結構造とその方法におけるコンクリート製品に締め付けを完了し、ターンバックルを回り止めした状態を示す要部縦断平面図である。
【図５】同実施形態によるコンクリート製品の緊結構造とその方法におけるコンクリート製品の締め付けを完了し、ターンバックルを回り止めした状態を示す要部側面図である。
【符号の説明】
１    コンクリート製品
４    埋込ナット
６    ターンバックル
８    固定ボルト
７ａ  連結ボルト
７ｂ  連結ボルト
【図１】
0004344466.tif 000002
【図２】
0004344466.tif 000003
【図３】
0004344466.tif 000004
【図４】
0004344466.tif 000005
【図５】
0004344466.tif 000006